【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
水溶性ポリビニルアルコール、可塑剤、およびデンプンの混合物を含む水溶性フィルムであって、前記ポリビニルアルコールが、前記フィルムの総重量に基づいて約２０重量％〜約９５重量％の量で存在し、前記デンプンが、約５ｐｈｒ〜約３０ｐｈｒの範囲の量で存在するヒドロキシプロピル化デンプンを含む、水溶性フィルム。
【請求項２】
水溶性ポリビニルアルコール、可塑剤、および変性デンプンの混合物を含む水溶性フィルムであって、前記ポリビニルアルコールが、前記フィルムの総重量に基づいて約２０重量％〜約９５重量％の量で存在し、前記変性デンプンが、約２％を超える変性度を有し、約２．５ｐｈｒ〜約３０ｐｈｒの範囲の量で存在する、水溶性フィルム。
【請求項３】
前記変性デンプンが、ヒドロキシアルキル変性を含み、前記アルキルが、３個以上の炭素原子の鎖長を有する、請求項２に記載の水溶性フィルム。
【請求項４】
前記ポリビニルアルコールが、ポリビニルアルコールホモポリマー、アニオン変性を有するポリビニルアルコールコポリマー、および前述のものの組み合わせからなる群から選択されたポリビニルアルコールを含む、請求項１〜３のいずれか一項に記載の水溶性フィルム。
【請求項５】
前記ポリビニルアルコールが、アニオン変性を有するポリビニルアルコールコポリマーを含む、請求項２〜４のいずれか一項に記載の水溶性フィルム。
【請求項６】
前記デンプンが、約６５％〜約９５％の範囲のアミロース含有量を有する、請求項１〜５のいずれか一項に記載の水溶性フィルム。
【請求項７】
前記デンプンが、約４％〜約８％の変性度を有する、請求項１〜６のいずれか一項に記載の水溶性フィルム。
【請求項８】
前記デンプンが、約６ｐｈｒ〜約１０ｐｈｒの範囲の量で存在する、請求項１〜７のいずれか一項に記載の水溶性フィルム。
【請求項９】
前記デンプンが、約８ｐｈｒの量で存在し、７６ミクロンのフィルムが、ＭＳＴＭ−２０５によって測定した場合、約９０秒未満の冷水溶解度を有する、請求項１〜８のいずれか一項に記載の水溶性フィルム。
【請求項１０】
前記デンプンが、約１２ｐｈｒ〜約１６ｐｈｒの範囲の量で存在する、請求項１〜９のいずれか一項に記載の水溶性フィルム。
【請求項１１】
前記フィルムが、少なくとも４０ＭＰａの引張強度を有する、請求項１〜１０のいずれか一項に記載の水溶性フィルム。
【請求項１２】
前記フィルムが、約４５ＭＰａを超える引張強度を有する、請求項１〜１１のいずれか一項に記載の水溶性フィルム。
【請求項１３】
水溶性ポリビニルアルコール、可塑剤、および非変性デンプンの混合物を含む水溶性フィルムであって、前記ポリビニルアルコールが、前記フィルムの総重量に基づいて約２０重量％〜約９５重量％の量で存在し、前記デンプンが、２０％〜８０％の範囲のアミロース含有量を有する、水溶性フィルム。
【請求項１４】
前記デンプンが、約２ｐｈｒ〜約３０ｐｈｒの範囲の量で存在する、請求項１３に記載の水溶性フィルム。
【請求項１５】
前記デンプンが、約２ｐｈｒ〜約５ｐｈｒの範囲の量で存在する、請求項１３又は１４に記載の水溶性フィルム。
【請求項１６】
前記フィルムが、約１の光沢対光沢静摩擦係数を有する、請求項１３〜１５のいずれか一項に記載の水溶性フィルム。
【請求項１７】
前記デンプンが、約４０重量％〜約６０重量％の範囲のアミロース含有量を有する、請求項１３〜１６のいずれか一項に記載の水溶性フィルム。
【請求項１８】
水溶性ポリビニルアルコールと、可塑剤およびヒドロキシプロピル変性デンプンとの混合物を含む水溶性フィルムであって、前記ポリビニルアルコールが、前記フィルムの総重量に基づいて約２０重量％〜約９５重量％の量で存在し、前記デンプンが、２３％〜９５％の範囲のアミロース含有量を有し、前記ポリビニルアルコールが、非変性ポリビニルアルコール、またはアニオン性変性剤がアクリレートではないという条件でアニオン変性ポリビニルアルコールコポリマーを含む、水溶性フィルム。
【請求項１９】
前記デンプンが、約５ｐｈｒ〜約１２ｐｈｒの範囲の量で存在する、請求項１８に記載の水溶性フィルム。
【請求項２０】
前記フィルムが、約５以下の光沢対光沢静摩擦係数を有する、請求項１〜１２、１８及び１９のいずれか一項に記載の水溶性フィルム。
【請求項２１】
前記デンプンが、約５０重量％〜約９５重量％の範囲のアミロース含有量を有する、請求項１８〜２０のいずれか一項に記載の水溶性フィルム。
【請求項２２】
前記ヒドロキシプロピル変性デンプンが、２％を超えるヒドロキシプロピル変性を含む、請求項１８〜２１のいずれか一項に記載の水溶性フィルム。
【請求項２３】
前記ヒドロキシプロピル変性デンプンが、約４％〜約８％のヒドロキシプロピル変性を含む、請求項１８〜２２のいずれか一項に記載の水溶性フィルム。
【請求項２４】
前記ポリビニルアルコールが、前記フィルムの総重量に基づいて約６０重量％〜約９５重量％の量で存在する、請求項１３〜２３のいずれか一項に記載の水溶性フィルム。
【請求項２５】
前記ポリビニルアルコールが、前記フィルムの総重量に基づいて約８５重量％〜約９５重量％の量で存在する、請求項１３〜２４のいずれか一項に記載の水溶性フィルム。
【請求項２６】
前記可塑剤が、約１ｐｈｒ〜約４０ｐｈｒの範囲の量で存在する、請求項１〜２５のいずれか一項に記載の水溶性フィルム。
【請求項２７】
前記可塑剤が、グリセロール、プロピレングリコール、ソルビトール、トリメチロールプロパン、ポリエチレングリコール、グリセロールプロピレンオキシドポリマー、２−メチル−１，３−プロパンジオール、ジグリセロール、キシリトール、および前述のものの組み合わせからなる群から選択される、請求項１〜２６のいずれか一項に記載の水溶性フィルム。
【請求項２８】
前記可塑剤が、２−メチル−１，３−プロパンジオール、ソルビトール、グリセロール、およびそれらの組み合わせからなる群から選択される、請求項１〜２７のいずれか一項に記載の水溶性フィルム。
【請求項２９】
界面活性剤、酸化防止剤、苦味剤、ソイルリリースポリマー、再付着防止剤、キレート剤、ビルダー、香料、または前述のものの組み合わせをさらに含む、請求項１〜２８のいずれか一項に記載の水溶性フィルム。
【請求項３０】
前記フィルムが、デンプンを含まない等価のフィルム配合物と比較して、低減された光沢対光沢静摩擦係数を特徴とする、請求項１〜２９のいずれか一項に記載の水溶性フィルム。
【請求項３１】
前記デンプンが、乾燥状態で１ミクロン〜約６ミクロンの範囲の平均粒径を有する、請求項１〜３０のいずれか一項に記載の水溶性フィルム。
【請求項３２】
前記デンプンが、７５℃を超えかつ最大３００℃の糊化温度を有する、請求項１〜３１のいずれか一項に記載の水溶性フィルム。
【請求項３３】
内部パウチ容積を画定するパウチの形態の、請求項１〜３２のいずれか一項に記載の水溶性フィルムを含む、密封された物品。
【請求項３４】
前記内部パウチ容積に収容されている組成物をさらに含む、請求項３３に記載の密封された物品。
【請求項３５】
前記組成物が、洗剤組成物である、請求項３４に記載の密封された物品。
【請求項３６】
前記洗剤組成物が、洗濯洗剤、食器洗い洗剤、硬質表面洗浄組成物、布地柔軟剤組成物、シャンプー、ボディウォッシュ、およびそれらの組み合わせからなる群から選択される、請求項３５に記載の密封された物品。
【手続補正２】
【補正対象書類名】明細書
【補正対象項目名】０１８６
【補正方法】変更
【補正の内容】
【０１８６】
本明細書で引用したすべての特許、刊行物、および参考文献は、参照により完全に本明細書に組み込まれる。本開示と、組み込まれる特許、刊行物、および参考文献との間に矛盾がある場合は、本開示が優先されるべきである。
本発明のまた別の態様は、以下のとおりであってもよい。
〔１〕水溶性ポリビニルアルコール、可塑剤、およびデンプンの混合物を含む水溶性フィルムであって、前記ポリビニルアルコールが、前記フィルムの総重量に基づいて約２０重量％〜約９５重量％の量で存在し、前記デンプンが、約５ｐｈｒ〜約３０ｐｈｒの範囲の量で存在するヒドロキシプロピル化デンプンを含む、水溶性フィルム。
〔２〕前記ヒドロキシプロピル化デンプンが、約６５％〜約９５％の範囲のアミロース含有量を有する、前記〔１〕に記載の水溶性フィルム。
〔３〕前記ヒドロキシプロピル化デンプンが、約４％〜約８％の変性度を有する、前記〔１〕または前記〔２〕に記載の水溶性フィルム。
〔４〕前記デンプンが、約６ｐｈｒ〜約１０ｐｈｒの範囲の量で存在する、前記〔１〕〜〔３〕のいずれか一項に記載の水溶性フィルム。
〔５〕前記デンプンが、約８ｐｈｒの量で存在し、７６ミクロンのフィルムが、ＭＳＴＭ−２０５によって測定した場合、約９０秒未満の冷水溶解度を有する、前記〔１〕〜〔４〕のいずれか一項に記載の水溶性フィルム。
〔６〕前記デンプンが、約１２ｐｈｒ〜約１６ｐｈｒの範囲の量で存在する、前記〔１〕〜〔３〕のいずれか一項に記載の水溶性フィルム。
〔７〕前記フィルムが、少なくとも４０ＭＰａの引張強度を有する、前記〔１〕〜〔６〕のいずれか一項に記載の水溶性フィルム。
〔８〕前記フィルムが、約４５ＭＰａを超える引張強度を有する、前記〔１〕〜〔７〕のいずれか一項に記載の水溶性フィルム。
〔９〕前記フィルムが、約５以下の光沢対光沢静摩擦係数を有する、前記〔１〕〜〔８〕のいずれか一項に記載の水溶性フィルム。
〔１０〕前記可塑剤が、約１ｐｈｒ〜約４０ｐｈｒの範囲の量で存在する、前記〔１〕〜〔９〕のいずれか一項に記載の水溶性フィルム。
〔１１〕前記可塑剤が、グリセロール、プロピレングリコール、ソルビトール、トリメチロールプロパン、ポリエチレングリコール、グリセロールプロピレンオキシドポリマー、２−メチル−１，３−プロパンジオール、ジグリセロール、キシリトール、および前述のものの組み合わせからなる群から選択される、前記〔１〕〜〔１０〕のいずれか一項に記載の水溶性フィルム。
〔１２〕前記可塑剤が、２−メチル−１，３−プロパンジオール、ソルビトール、グリセロール、およびそれらの組み合わせからなる群から選択される、前記〔１〕〜〔１１〕のいずれか一項に記載の水溶性フィルム。
〔１３〕界面活性剤、酸化防止剤、苦味剤、ソイルリリースポリマー、再付着防止剤、キレート剤、ビルダー、香料、または前述のものの組み合わせをさらに含む、前記〔１〕〜〔１２〕のいずれか一項に記載の水溶性フィルム。
〔１４〕前記フィルムが、デンプンを含まない等価のフィルム配合物と比較して、低減された光沢対光沢静摩擦係数を特徴とする、前記〔１〕〜〔１３〕のいずれか一項に記載の水溶性フィルム。
〔１５〕前記ポリビニルアルコールが、ポリビニルアルコールホモポリマー、アニオン変性を有するポリビニルアルコールコポリマー、および前述のものの組み合わせを含む、前記〔１〕〜〔１４〕のいずれか一項に記載の水溶性フィルム。
〔１６〕内部パウチ容積を画定するパウチの形態の、前記〔１〕〜〔１５〕のいずれか一項に記載の水溶性フィルムを含む、密封された物品。
〔１７〕前記内部パウチ容積に収容されている組成物をさらに含む、前記〔１６〕に記載の密封された物品。
〔１８〕前記組成物が、洗剤組成物である、前記〔１７〕に記載の密封された物品。
〔１９〕前記洗剤組成物が、洗濯洗剤、食器洗い洗剤、硬質表面洗浄組成物、布地柔軟剤組成物、シャンプー、ボディウォッシュ、およびそれらの組み合わせからなる群から選択される、前記〔１８〕に記載の密封された物品。
〔２０〕水溶性ポリビニルアルコール、可塑剤、および変性デンプンの混合物を含む水溶性フィルムであって、前記ポリビニルアルコールが、前記フィルムの総重量に基づいて約２０重量％〜約９５重量％の量で存在し、前記変性デンプンが、約２％を超える変性度を有し、約２．５ｐｈｒ〜約３０ｐｈｒの範囲の量で存在する、水溶性フィルム。
〔２１〕前記変性デンプンが、約４％〜約８％の変性度を有する、前記〔２０〕に記載の水溶性フィルム。
〔２２〕前記変性デンプンが、約６５％〜約９５％の範囲のアミロース含有量を有する、前記〔２０〕または前記〔２１〕に記載の水溶性フィルム。
〔２３〕前記変性デンプンが、ヒドロキシアルキル変性を含み、前記アルキルが、３個以上の炭素原子の鎖長を有する、前記〔２０〕〜〔２２〕のいずれか一項に記載の水溶性フィルム。
〔２４〕前記ポリビニルアルコールが、ポリビニルアルコールホモポリマー、アニオン変性を有するポリビニルアルコールコポリマー、および前述のものの組み合わせからなる群から選択されたポリビニルアルコールを含む、前記〔２０〕〜〔２３〕のいずれか一項に記載の水溶性フィルム。
〔２５〕前記ポリビニルアルコールが、アニオン変性を有するポリビニルアルコールコポリマーを含む、前記〔２３〕に記載の水溶性フィルム。
〔２６〕前記デンプンが、約６ｐｈｒ〜約１０ｐｈｒの範囲の量で存在する、前記〔２０〕〜〔２５〕のいずれか一項に記載の水溶性フィルム。
〔２７〕前記デンプンが、約８ｐｈｒの量で存在し、７６ミクロンのフィルムが、ＭＳＴＭ−２０５によって測定した場合、約９０秒未満の冷水溶解度を有する、前記〔２０〕〜〔２６〕のいずれか一項に記載の水溶性フィルム。
〔２８〕前記デンプンが、約１２ｐｈｒ〜約１６ｐｈｒの範囲の量で存在する、前記〔２０〕〜〔２５〕のいずれか一項に記載の水溶性フィルム。
〔２９〕前記フィルムが、少なくとも４０ＭＰａの引張強度を有する、前記〔２０〕〜〔２８〕のいずれか一項に記載の水溶性フィルム。
〔３０〕前記フィルムが、約４５ＭＰａを超える引張強度を有する、前記〔２０〕〜〔２９〕のいずれか一項に記載の水溶性フィルム。
〔３１〕前記フィルムが、５以下の光沢対光沢静摩擦係数を有する、前記〔２０〕〜〔３０〕のいずれか一項に記載の水溶性フィルム。
〔３２〕前記可塑剤が、約１ｐｈｒ〜約４０ｐｈｒの範囲の量で存在する、前記〔２０〕〜〔３１〕のいずれか一項に記載の水溶性フィルム。
〔３３〕前記可塑剤が、グリセロール、プロピレングリコール、ソルビトール、トリメチロールプロパン、ポリエチレングリコール、グリセロールプロピレンオキシドポリマー、２−メチル−１，３−プロパンジオール、ジグリセロール、キシリトール、および前述のものの組み合わせからなる群から選択される、前記〔２０〕〜〔３２〕のいずれか一項に記載の水溶性フィルム。
〔３４〕前記可塑剤が、２−メチル−１，３−プロパンジオール、ソルビトール、グリセロール、およびそれらの組み合わせからなる群から選択される、前記〔２０〕〜〔３３〕のいずれか一項に記載の水溶性フィルム。
〔３５〕界面活性剤、酸化防止剤、苦味剤、ソイルリリースポリマー、再付着防止剤、キレート剤、ビルダー、香料、または前述のものの組み合わせをさらに含む、前記〔２０〕〜〔３４〕のいずれか一項に記載の水溶性フィルム。
〔３６〕前記フィルムが、デンプンを含まない等価のフィルム配合物と比較して、低減された光沢対光沢静摩擦係数を特徴とする、前記〔２０〕〜〔３５〕のいずれか一項に記載の水溶性フィルム。
〔３７〕内部パウチ容積を画定するパウチの形態の、前記〔２０〕〜〔３６〕のいずれか一項に記載の水溶性フィルムを含む、密封された物品。
〔３８〕前記内部パウチ容積に収容されている組成物をさらに含む、前記〔３７〕に記載の密封された物品。
〔３９〕前記組成物が、洗剤組成物である、前記〔３８〕に記載の密封された物品。
〔４０〕前記洗剤組成物が、洗濯洗剤、食器洗い洗剤、硬質表面洗浄組成物、布地柔軟剤組成物、シャンプー、ボディウォッシュ、およびそれらの組み合わせからなる群から選択される、前記〔３９〕に記載の密封された物品。
〔４１〕水溶性ポリビニルアルコール、可塑剤、および非変性デンプンの混合物を含む水溶性フィルムであって、前記ポリビニルアルコールが、前記フィルムの総重量に基づいて約２０重量％〜約９５重量％の量で存在し、前記デンプンが、２０％〜８０％の範囲のアミロース含有量を有する、水溶性フィルム。
〔４２〕前記ポリビニルアルコールが、前記フィルムの総重量に基づいて約６０重量％〜約９５重量％の量で存在する、前記〔４１〕に記載の水溶性フィルム。
〔４３〕前記ポリビニルアルコールが、前記フィルムの総重量に基づいて約８５重量％〜約９５重量％の量で存在する、前記〔４１〕または前記〔４２〕に記載の水溶性フィルム。
〔４４〕前記デンプンが、約２ｐｈｒ〜約３０ｐｈｒの範囲の量で存在する、前記〔４１〕〜〔４３〕のいずれか一項に記載の水溶性フィルム。
〔４５〕前記デンプンが、約２ｐｈｒ〜約５ｐｈｒの範囲の量で存在する、前記〔４１〕〜〔４４〕のいずれか一項に記載の水溶性フィルム。
〔４６〕前記フィルムが、約１の光沢対光沢静摩擦係数を有する、前記〔４１〕〜〔４５〕のいずれか一項に記載の水溶性フィルム。
〔４７〕前記デンプンが、約４０重量％〜約６０重量％の範囲のアミロース含有量を有する、前記〔４１〕〜〔４６〕のいずれか一項に記載の水溶性フィルム。
〔４８〕前記可塑剤が、約１ｐｈｒ〜約４０ｐｈｒの範囲の量で存在する、前記〔４１〕〜〔４７〕のいずれか一項に記載の水溶性フィルム。
〔４９〕前記可塑剤が、グリセロール、プロピレングリコール、ソルビトール、トリメチロールプロパン、ポリエチレングリコール、グリセロールプロピレンオキシドポリマー、２−メチル−１，３−プロパンジオール、ジグリセロール、キシリトール、および前述のものの組み合わせからなる群から選択される、前記〔４１〕〜〔４８〕のいずれか一項に記載の水溶性フィルム。
〔５０〕前記可塑剤が、２−メチル−１，３−プロパンジオール、ソルビトール、およびグリセロールからなる群から選択される、前記〔４１〕〜〔４９〕のいずれか一項に記載の水溶性フィルム。
〔５１〕界面活性剤、酸化防止剤、苦味剤、ソイルリリースポリマー、再付着防止剤、キレート剤、ビルダー、香料、または前述のものの組み合わせをさらに含む、前記〔４１〕〜〔５０〕のいずれか一項に記載の水溶性フィルム。
〔５２〕前記フィルムが、デンプンを含まない等価のフィルム配合物と比較して、低減された光沢対光沢静摩擦係数を特徴とする、前記〔４１〕〜〔５１〕のいずれか一項に記載の水溶性フィルム。
〔５３〕内部パウチ容積を画定するパウチの形態の、前記〔４１〕〜〔５２〕のいずれか一項に記載の水溶性フィルムを含む、密封された物品。
〔５４〕前記内部パウチ容積に収容されている組成物をさらに含む、前記〔５３〕に記載の密封された物品。
〔５５〕前記組成物が、洗剤組成物である、前記〔５４〕に記載の密封された物品。
〔５６〕前記洗剤組成物が、洗濯洗剤、食器洗い洗剤、硬質表面洗浄組成物、布地柔軟剤組成物、シャンプー、ボディウォッシュ、およびそれらの組み合わせからなる群から選択される、前記〔５５〕に記載の密封された物品。
〔５７〕水溶性ポリビニルアルコールと、可塑剤およびヒドロキシプロピル変性デンプンとの混合物を含む水溶性フィルムであって、前記ポリビニルアルコールが、前記フィルムの総重量に基づいて約２０重量％〜約９５重量％の量で存在し、前記デンプンが、２３％〜９５％の範囲のアミロース含有量を有し、前記ポリビニルアルコールが、非変性ポリビニルアルコール、またはアニオン性変性剤がアクリレートではないという条件でアニオン変性ポリビニルアルコールコポリマーを含む、水溶性フィルム。
〔５８〕前記ポリビニルアルコールが、前記フィルムの総重量に基づいて約６０重量％〜約９５重量％の量で存在する、前記〔５７〕に記載の水溶性フィルム。
〔５９〕前記ポリビニルアルコールが、前記フィルムの総重量に基づいて約８５重量％〜約９５重量％の量で存在する、前記〔５７〕または前記〔５８〕に記載の水溶性フィルム。
〔６０〕前記デンプンが、約５ｐｈｒ〜約１２ｐｈｒの範囲の量で存在する、前記〔５７〕〜〔５９〕のいずれか一項に記載の水溶性フィルム。
〔６１〕前記フィルムが、約５以下の光沢対光沢静摩擦係数を有する、前記〔５７〕〜〔６０〕のいずれか一項に記載の水溶性フィルム。
〔６２〕前記デンプンが、約５０重量％〜約９５重量％の範囲のアミロース含有量を有する、前記〔５７〕〜〔６１〕のいずれか一項に記載の水溶性フィルム。
〔６３〕前記ヒドロキシプロピル変性デンプンが、２％を超えるヒドロキシプロピル変性を含む、前記〔５７〕〜〔６２〕のいずれか一項に記載の水溶性フィルム。
〔６４〕前記ヒドロキシプロピル変性デンプンが、約４％〜約８％のヒドロキシプロピル変性を含む、前記〔５７〕〜〔６３〕のいずれか一項に記載の水溶性フィルム。
〔６５〕前記可塑剤が、約１ｐｈｒ〜約４０ｐｈｒの範囲の量で存在する、前記〔５７〕〜〔６４〕のいずれか一項に記載の水溶性フィルム。
〔６６〕前記可塑剤が、グリセロール、プロピレングリコール、ソルビトール、トリメチロールプロパン、ポリエチレングリコール、グリセロールプロピレンオキシドポリマー、２−メチル−１，３−プロパンジオール、ジグリセロール、キシリトール、および前述のものの組み合わせからなる群から選択される、前記〔５７〕〜〔６５〕のいずれか一項に記載の水溶性フィルム。
〔６７〕前記可塑剤が、２−メチル−１，３−プロパンジオール、ソルビトール、およびグリセロールからなる群から選択される、前記〔５７〕〜〔６６〕のいずれか一項に記載の水溶性フィルム。
〔６８〕界面活性剤、酸化防止剤、苦味剤、ソイルリリースポリマー、再付着防止剤、キレート剤、ビルダー、香料、または前述のものの組み合わせをさらに含む、前記〔５７〕〜〔６７〕のいずれか一項に記載の水溶性フィルム。
〔６９〕前記フィルムが、デンプンを含まない等価のフィルム配合物と比較して、低減された光沢対光沢静摩擦係数を特徴とする、前記〔５７〕〜〔６８〕のいずれか一項に記載の水溶性フィルム。
〔７０〕内部パウチ容積を画定するパウチの形態の、前記〔５７〕〜〔６９〕のいずれか一項に記載の水溶性フィルムを含む、密封された物品。
〔７１〕前記内部パウチ容積に収容されている組成物をさらに含む、前記〔７０〕に記載の密封された物品。
〔７２〕前記組成物が、洗剤組成物である、前記〔７１〕に記載の密封された物品。
〔７３〕前記洗剤組成物が、洗濯洗剤、食器洗い洗剤、硬質表面洗浄組成物、布地柔軟剤組成物、シャンプー、ボディウォッシュ、およびそれらの組み合わせからなる群から選択される、前記〔７２〕に記載の密封された物品。
〔７４〕前記デンプンが、乾燥状態で１ミクロン〜約６ミクロンの範囲の平均粒径を有する、前記〔１〕〜〔１５〕、〔２０〕〜〔３６〕、４１〜５２、および５７〜６９のいずれか一項に記載の水溶性フィルム。
〔７５〕前記デンプンが、７５℃を超えかつ最大３００℃の糊化温度を有する、前記〔１〕〜〔１５〕、〔２０〕〜〔３６〕、４１〜５２、５７〜６９、および７４のいずれか一項に記載の水溶性フィルム。